(57)【要約】【課題】網戸ネットおよびパネル間への虫の侵入を抑制できるパネル付き網戸の提供。【解決手段】パネル付き網戸１０は、網戸枠２０と、網戸枠２０に装着された網戸ネット３０と、網戸ネット３０の室内側または室外側に沿って配置されて、網戸枠２０に取り付けられるパネル部材４０とを備える。パネル部材４０は、パネル保持枠５０と、パネル保持枠５０に保持されるパネル６０とを備える。パネル保持枠５０は、網戸ネット３０およびパネル６０との間に配置される仕切片部５１１、５２１と、仕切片部に対してパネル６０を挟んで配置される保持片部５１２、５２２と、仕切片部および保持片部を連結する連結片部５１３、５２３とを備える。パネル保持枠５０の保持片部５１２、５２２とパネル６０との間には、パネル６０を仕切片部に押し付けるガスケット５５が配置されている。【選択図】図２
2020045699.tif 000002
【特許請求の範囲】
【請求項１】
網戸枠と、
前記網戸枠に装着された網戸ネットと、
前記網戸ネットの室内側または室外側に沿って配置されて、前記網戸枠に取り付けられるパネル部材と、を備え、
前記パネル部材は、パネル保持枠と、前記パネル保持枠に保持されるパネルとを備え、
前記パネル保持枠は、
前記網戸ネットおよび前記パネルとの間に配置される仕切片部と、
前記仕切片部に対して前記パネルを挟んで配置される保持片部と、
前記仕切片部および前記保持片部を連結する連結片部とを備えて構成され、
前記パネル保持枠の前記保持片部と前記パネルとの間には、前記パネルを前記仕切片部に押し付ける押付部材が配置されている
ことを特徴とするパネル付き網戸。
【請求項２】
請求項１に記載のパネル付き網戸において、
前記押付部材は、前記パネルの厚さ寸法に応じて選択されて、前記保持片部に装着されるガスケットで構成される
ことを特徴とするパネル付き網戸。
【請求項３】
請求項１または請求項２に記載のパネル付き網戸において、
前記パネル保持枠は、保持上枠と、保持下枠と、前記保持上枠および前記保持下枠間を連結する一対の保持縦枠とを備えて構成され、
前記保持上枠は、前記網戸枠の高さ方向の中間部に配置され、
前記保持上枠は、前記仕切片部と、前記保持片部と、前記連結片部とを備え、
前記連結片部は、前記仕切片部および前記保持片部の上端部間を連結し、かつ、断面弧状に形成されている
ことを特徴とするパネル付き網戸。
【請求項４】
請求項１から請求項３のいずれか一項に記載のパネル付き網戸において、
前記網戸枠は、網戸上枠と、網戸下枠と、前記網戸上枠および前記網戸下枠間に配置された一対の網戸縦枠とを備えて構成され、
前記パネル保持枠は、保持上枠と、保持下枠と、前記保持上枠および前記保持下枠間を連結する一対の保持縦枠とを備えて構成され、
前記網戸下枠の上面と、前記保持下枠の下面との間には隙間が形成されている
ことを特徴とするパネル付き網戸。
【請求項５】
請求項１から請求項４のいずれか一項に記載のパネル付き網戸において、
前記パネルと前記仕切片部との間に、滑り材テープを設けた
ことを特徴とするパネル付き網戸。
【発明の詳細な説明】
【技術分野】
【０００１】
本発明は、網戸ネットを保護するパネルを有するパネル付き網戸に関する。
【背景技術】
【０００２】
従来より、幼児やペットによる網戸ネットの破損を防止するために、網戸ネットを保護するパネルを取り付けた網戸が知られている（非特許文献１参照）。
非特許文献１の網戸は、網戸枠と、網戸枠に装着される網戸ネットと、網戸ネットの室内側に配置されるパネルと、前記パネルを保持する保持溝が形成された形材とを備えている。前記パネルは、通気性を確保するため、パンチング加工によって形成された多数の孔部を有している。
非特許文献１の網戸では、アルミ製のパネルと、ポリカーボネート製のパネルとを用意しており、それぞれ厚さ寸法が異なるため、パネルの厚さ寸法に応じて異なる形材を用いていた。
【先行技術文献】
【非特許文献】
【０００３】
【非特許文献１】"セーフティ網戸"、[online]、株式会社ナガオカサッシ工業、[平成30年9月7日検索]、インターネット〈URL：http://www.kk-nsk.co.jp/safety/〉
【発明の概要】
【発明が解決しようとする課題】
【０００４】
網戸ネットを保護するパネルを設ける場合、網戸の見込寸法に納まる範囲で、網戸ネットとパネルの間に空間が存在していた。
このため、網戸ネットとパネルとの間に比較的大きなクリアランスが形成され、このクリアランス部分にパネルの孔部から入り込んだ虫が閉じ込められることがある。網戸ネットおよびパネル間に虫が閉じ込められると、美観が損ねられるため、網戸ネットとパネルとの間のクリアランスをできるだけ小さくすることが求められた。
また、厚さ寸法が異なる複数種類のパネルを用意し、パネルを選択できるように設定した場合、パネルの厚さ寸法に応じて形材を用意しなければならず、形材の種類が増えてコストも増加するという課題もある。
【０００５】
本発明の目的は、網戸ネットおよびパネル間のクリアランスを小さくでき、パネルを保持する形材の種類が増えることも防止できるパネル付き網戸を提供することにある。
【課題を解決するための手段】
【０００６】
本発明のパネル付き網戸は、網戸枠と、前記網戸枠に装着された網戸ネットと、前記網戸ネットの室内側または室外側に沿って配置されて、前記網戸枠に取り付けられるパネル部材と、を備え、前記パネル部材は、パネル保持枠と、前記パネル保持枠に保持されるパネルとを備え、前記パネル保持枠は、前記網戸ネットおよび前記パネルとの間に配置される仕切片部と、前記仕切片部に対して前記パネルを挟んで配置される保持片部と、前記仕切片部および前記保持片部を連結する連結片部とを備えて構成され、前記パネル保持枠の前記保持片部と前記パネルとの間には、前記パネルを前記仕切片部に押し付ける押付部材が配置されていることを特徴とする。
【発明の効果】
【０００７】
本発明によれば、パネルを押付部材で仕切片部に押し付けることができるため、網戸ネットおよびパネル間のクリアランスを小さくでき、パネルを保持する形材の種類が増えることも防止できる。
【図面の簡単な説明】
【０００８】
【図１】本発明の実施形態のパネル付き網戸が取り付けられた引違い窓の内観姿図である。
【図２】前記実施形態の引違い窓の縦断面図である。
【図３】前記実施形態の引違い窓の横断面図である。
【図４】前記実施形態のパネル付き網戸の要部の分解斜視図である。
【図５】前記実施形態のパネル付き網戸の要部の斜視図である。
【図６】前記実施形態のパネル付き網戸の要部の縦断面図である。
【図７】前記実施形態のパネル付き網戸の要部の縦断面図である。
【発明を実施するための形態】
【０００９】
以下、本発明の実施形態を図面に基づいて説明する。なお、各図において、図面を見やすくするため、ハッチングは省略している。
図１〜３に示すように、本実施形態のパネル付き網戸１０は、引違い窓１に取り付けられている。引違い窓１は、建物の躯体の開口に取り付けられる窓枠２と、窓枠２内を左右方向に引違い可能に配置された外障子３、内障子４とを備える一般的な引違い窓である。
窓枠２は、上枠５、下枠６および左右の縦枠７を矩形状に枠組みして構成されている。上枠５には、上枠網戸レール５Ａが形成されており、下枠６には、下枠網戸レール６Ａが形成されている。
【００１０】
パネル付き網戸１０は、網戸枠２０と、網戸枠２０に装着される網戸ネット３０と、網戸枠２０に取り付けられるパネル部材４０とを備える。
網戸枠２０は、網戸上枠２１、網戸下枠２２および左右の網戸縦枠２３を矩形状に枠組みして構成されている。網戸上枠２１には、はずれ止め部品２５が取り付けられ、網戸下枠２２には網戸戸車２６が取り付けられている。
パネル付き網戸１０は、はずれ止め部品２５を、上枠網戸レール５Ａに差し込み、網戸戸車２６を下枠網戸レール６Ａに乗せることで、上枠網戸レール５Ａ、下枠網戸レール６Ａに対してスライド移動可能に取り付けられる。
【００１１】
網戸下枠２２は、図４から図６にも示すように、室外側に露出する室外面部２２１と、室外面部２２１の上端部から室内側に延長され、ビスホールが形成された見込片部２２２と、見込片部２２２から上方に立上り、さらに室外側に折曲されて断面略Ｌ字状に形成された溝形成部２２３と、見込片部２２２の室内側端部から下方に延出された見付片部２２４と、見付片部２２４の下端部から室内側に延長された上面部２２５と、上面部２２５の室内側端部から下方に延長された室内面部２２６と、室外面部２２１の下端部から室内側に延長された下面部２２７と、下面部２２７と上面部２２５とを連結する連結部２２８とを備えている。
そして、見込片部２２２および溝形成部２２３によって、室外側に開口された凹溝２２９が形成されている。
【００１２】
各網戸縦枠２３は、図４に示すように、室外側に露出する室外面部２３１と、室外面部２３１の内周側端部から室内側に延長された見込片部２３２と、見込片部２３２から他の網戸縦枠２３側に向かって延出され、さらに室外側に折曲されて断面略Ｌ字状に形成された溝形成部２３３と、溝形成部２３３の室外側端部から他の網戸縦枠２３側に延出された保持片部２３４と、溝形成部２３３の折曲部から他の網戸縦枠２３側に延出され、さらに室内側に折曲されたガイド片部２３５と、見込片部２３２の室内側端部から外周側に向かって延長された室内面部２３６と、室外面部２３１および室内面部２３６を連結する連結片部２３７とを備えている。
そして、図３にも示すように、見込片部２３２および溝形成部２３３によって、室外側に開口された凹溝２３９が形成されている。
【００１３】
網戸上枠２１は、図２に示すように、室外側に露出する室外面部２１１と、室外面部２１１の下端部から室内側に延長され、ビスホールが形成された見込片部２１２と、見込片部２１２から下方に立ち下がり、さらに室外側に折曲されて断面略Ｌ字状に形成された溝形成部２１３とを備え、見込片部２１２および溝形成部２１３によって、室外側に開口された凹溝２１９が形成されている。
【００１４】
網戸ネット３０は、合成樹脂製ネットなど従来から用いられている網戸用のネットである。網戸ネット３０は、網戸枠２０に形成された凹溝２１９、２２９、２３９に、網戸ネット３０を介して紐状弾性材からなるネットロープ３１を圧入することによって、網戸枠２０に張り付けられている。
すなわち、網戸ネット３０の外周縁部を、凹溝２１９、２２９、２３９の開口を覆う位置に配置し、ネットロープ３１を室外側から網戸ネット３０の外周縁部を介して凹溝２１９、２２９、２３９内に押し込むことで、網戸ネット３０を網戸枠２０に取り付けることができる。
【００１５】
パネル部材４０は、パネル保持枠５０と、パネル保持枠５０に保持されるパネル６０とを備える。
パネル保持枠５０は、図４および図５にも示すように、保持上枠５１、保持下枠５２および左右の保持縦枠５３を矩形状に枠組みして構成されている。
保持上枠５１は、図１にも示すように、網戸枠２０の高さ方向の中間位置、すなわち中桟となる位置に配置されている。すなわち、パネル保持枠５０の高さ寸法は、網戸枠２０の高さ寸法の約半分とされている。
保持上枠５１は、図４および図６に示すように、仕切片部５１１と、保持片部５１２と、連結片部５１３と、ビスホール部５１４とを備えたアルミ押出形材で構成されている。
仕切片部５１１は、網戸ネット３０およびパネル６０との間に配置され、網戸ネット３０とパネル６０とのクリアランス（間隔）を規定するものである。仕切片部５１１の厚さ寸法は、前記クリアランス部分に虫が侵入し難い寸法、例えば、１．５ｍｍ以下に設定され、本実施形態では１．２ｍｍである。このため、仕切片部５１１の室外面に網戸ネット３０を密着させ、仕切片部５１１の室内面にパネル６０を密着させた場合、網戸ネット３０およびパネル６０間のクリアランスは、１．２ｍｍとなる。
【００１６】
保持片部５１２は、仕切片部５１１の室内側に設けられている。保持片部５１２の下端部には、ガスケット取付用の凸部が形成され、この凸部にガスケット５５が取り付けられている。ガスケット５５は、パネル６０の室内面に当接し、パネル６０を仕切片部５１１に押し付ける押付部材として機能する。
連結片部５１３は、仕切片部５１１および保持片部５１２の上端部間を連結しており、断面弧状に形成されている。このため、保持上枠５１の上面は湾曲面とされ、保持上枠５１は手掛かりとなり難い形状とされている。
ビスホール部５１４は、仕切片部５１１および保持片部５１２間に形成され、仕切片部５１１、保持片部５１２に連結されている。
【００１７】
保持下枠５２は、図４および図６に示すように、仕切片部５２１と、保持片部５２２と、連結片部５２３と、ビスホール部５２４と、室外側突片５２５と、室内側突片５２６とを備えたアルミ押出形材で構成されている。
仕切片部５２１は、仕切片部５１１と同様に、網戸ネット３０およびパネル６０との間に配置され、厚さ寸法は、例えば１．５ｍｍ以下に設定され、本実施形態では１．２ｍｍとされている。
保持片部５２２は、保持片部５１２と同様に、仕切片部５２１の室内側に設けられ、その上端部には凸部が形成されて、パネル６０を保持片部５２２に押し付ける押付部材であるガスケット５５が取り付けられている。
連結片部５２３は、仕切片部５２１および保持片部５２２の下端部間を連結しており、ビスホール部５２４も一体に形成されている。
室外側突片５２５は、連結片部５２３の室外側端部から下方に向けて突設されている。室内側突片５２６は、連結片部５２３の室内側端部から下方に向けて突設されている。
【００１８】
保持縦枠５３は、図３および図４に示すように、仕切片部５３１と、保持片部５３２と、連結片部５３３と、室外側突片５３５と、室内側突片５３６とを備えたアルミ押出形材で構成されている。
仕切片部５３１は、仕切片部５１１、５２１と同様に、網戸ネット３０およびパネル６０との間に配置され、厚さ寸法は、例えば１．５ｍｍ以下に設定され、本実施形態では１．２ｍｍとされている。
保持片部５３２は、保持片部５１２、５２２と同様に、仕切片部５３１の室内側に設けられ、その内周側端部には凸部が形成されて、パネル６０を保持片部５３２に押し付ける押付部材であるガスケット５５が取り付けられている。
連結片部５３３は、仕切片部５３１および保持片部５３２の外周側端部間を連結している。
室外側突片５３５は、連結片部５３３の室外側端部から外周側つまり網戸縦枠２３側に突設されている。室内側突片５３６は、連結片部５２３の室内側端部から外周側に向けて突設されている。
【００１９】
図４に示すように、連結片部５３３の上端部は、仕切片部５３１、保持片部５３２、室外側突片５３５、室内側突片５３６よりも上方に突出しており、この突出部分に保持上枠５１の小口が当接し、タッピングねじによって固定されるように構成されている。また、連結片部５３３の上端部の外周面側にはキャップ部材５６が配置される。キャップ部材５６は、保持上枠５１の小口および連結片部５３３を隠す部品であり、保持上枠５１の連結片部５１３およびビスホール部５１４間の空間に挿入される挿入部５６１を備えている。
また、連結片部５３３の下端部は、仕切片部５３１、保持片部５３２よりも下方に突出しており、この突出部分に保持下枠５２の小口が当接し、タッピングねじによって固定されるように構成されている。
室外側突片５３５の下端は、連結片部５３３の下端と同じ高さ位置まで突出している。一方、室内側突片５３６の下端部は、室外側突片５３５および連結片部５３３よりも下方に延出されている。
【００２０】
パネル６０は、アルミ樹脂複合板、ポリカーボネート板、アルミ板などで構成される。アルミ樹脂複合板は、例えば、発泡ポリエチレン芯材の表面にアルミ製の面材を貼り付けて構成されたものなどが利用できる。パネル６０の厚さ寸法は、パネル６０に求めされる強度に応じて設定され、例えば、アルミ樹脂複合板やポリカーボネート板では３．０ｍｍ、アルミ板では１．５ｍｍなどに設定される。
パネル６０を仕切片部５１１、５２１、５３１に押し付けるガスケット５５は、パネル６０の厚さ寸法に応じて選択されている。例えば、厚さ寸法が３．０ｍｍのパネル６０を用いた場合は、図６に示すように、パネル６０および保持片部５１２、５２２、５３２間に配置されて、パネル６０を仕切片部５１１、５２１、５３１に押し付けることができる寸法に設定されたガスケット５５が用いられる。また、厚さ寸法が１．５ｍｍのパネル６０Ｂを用いた場合は、図７に示すように、ガスケット５５に比べて見込寸法が大きいガスケット５５Ｂが用いられる。すなわち、パネル６０、６０Ｂの厚さ寸法に応じたガスケット５５、５５Ｂを用意すれば、共通のパネル保持枠５０を用いて厚さ寸法の異なるパネル６０、６０Ｂを選択して組み込むことができる。
【００２１】
パネル６０において仕切片部５１１、５２１、５３１に接触する室外面の外周部には、滑り材テープ６１が貼り付けられている。滑り材テープ６１は、フッ素樹脂などの低摩擦特性を有する材料で構成されている。パネル６０に貼られた滑り材テープ６１が、仕切片部５１１、５２１、５３１に接触することで、パネル６０とパネル保持枠５０とに温度変化に伴う熱変形（熱膨張や熱収縮）が生じた場合に、異なる材質の部材同士が擦れて異音が生じることを抑制できる。
また、パネル保持枠５０の保持上枠５１、保持下枠５２、保持縦枠５３は、仕切片部５１１、５２１、５３１および保持片部５１２、５２２、５３２間の保持溝部分にパネル６０、６０Ｂを保持しているので、保持溝の深さ寸法を比較的大きく設定できる。このため、パネル保持枠５０の熱変形量と、パネル６０、６０Ｂの熱変形量とに差があった場合でも、その差に追従してパネル６０、６０Ｂの保持状態を維持できる。
パネル６０は、図１、４に示すように、多数の孔部６２が形成されている。なお、孔部６２の大きさ、数、形状、配置間隔は、図１、４のものに限定されず、通気性やデザインなどに応じて適宜設定すればよい。
【００２２】
次に、パネル部材４０を組み立てる手順について説明する。パネル部材４０を組み立てる前に、予め保持下枠５２の下面に断面略Ｚ字状の連結金具４５（図２参照）をタッピングねじ等で取り付けておく。その後、図４にも示すように、保持縦枠５３を、保持上枠５１、保持下枠５２、パネル６０を挟んで配置する。また、キャップ部材５６の挿入部５６１を、保持上枠５１の連結片部５１３およびビスホール部５１４間の空間に差し込んで配置する。
次に、タッピングねじを、キャップ部材５６から保持縦枠５３の連結片部５３３の上端部側に設けられたねじ穴を介して保持上枠５１のビスホール部５１４にねじ込んで、保持上枠５１、保持縦枠５３、キャップ部材５６を連結する。
また、タッピングねじを、保持縦枠５３の連結片部５３３の下端部側のねじ穴から保持下枠５２のビスホール部５２４にねじ込んで、保持下枠５２および保持縦枠５３を連結する。これにより、パネル６０の周縁が保持上枠５１、保持下枠５２、保持縦枠５３の保持溝内に配置される。最後に、各保持上枠５１、保持下枠５２、保持縦枠５３の保持片部５１２、５２２、５３２にガスケット５５を取り付け、パネル６０を仕切片部５１１、５２１、５３１に押し付ける。以上により、パネル部材４０が組み立てられる。
【００２３】
次に、網戸枠２０に対するパネル部材４０の取付構造について説明する。
パネル部材４０の周囲に、網戸上枠２１、網戸下枠２２、網戸縦枠２３を配置し、網戸縦枠２３間に、網戸上枠２１、網戸下枠２２およびパネル部材４０を挟んだ状態で、タッピングねじを用いて、網戸上枠２１および網戸下枠２２と網戸縦枠２３とを連結する。
この際、図３にも示すように、保持縦枠５３の室外側突片５３５を網戸縦枠２３の保持片部２３４、ガイド片部２３５間に配置し、ガイド片部２３５を室外側突片５３５、室内側突片５３６間に配置し、網戸縦枠２３に対してパネル部材４０が室内外方向に移動しないように位置決めする。
また、パネル部材４０を、網戸下枠２２側に移動し、図２に示すように、連結金具４５を上面部２２５に当接させて連結金具４５および上面部２２５をタッピングねじで固定する。この際、図５に示すように、連結片部５３３および室外側突片５３５の下端面は溝形成部２２３の上面に載置されるように設計されている。また、保持下枠５２の下端、つまり室外側突片５２５、室内側突片５２６の下端は、図６に示すように、網戸下枠２２の上方に離れて位置している。このため、保持下枠５２および網戸下枠２２間には隙間２８が形成される。
次に、網戸上枠２１、網戸下枠２２、網戸縦枠２３の凹溝２１９、２２９、２３９内に、ネットロープ３１を用いて、網戸ネット３０の四周端縁を押し込んで張り付けてパネル付き網戸１０を組み立てる。
これにより、網戸ネット３０は、仕切片部５１１、５２１、５３１の室外面に接して設けられ、パネル６０はガスケット５５によって仕切片部５１１、５２１、５３１の室内面に押し付けられる。このため、網戸ネット３０とパネル６０との隙間寸法は、仕切片部５１１、５２１、５３１の厚さ寸法（本実施形態では１．２ｍｍ）に設定される。
【００２４】
［実施形態の効果］
本実施形態のパネル付き網戸１０は、網戸ネット３０とパネル６０、６０Ｂとの間に仕切片部５１１、５２１、５３１を配置し、パネル６０、６０Ｂを押付部材であるガスケット５５、５５Ｂによって仕切片部５１１、５２１、５３１に押し付けているので、網戸ネット３０およびパネル６０、６０Ｂを仕切片部５１１、５２１、５３１に密着させることができ、網戸ネット３０およびパネル６０、６０Ｂのクリアランスを最小限の寸法、つまり仕切片部５１１、５２１、５３１の厚さ寸法に設定できる。網戸ネット３０とパネル６０、６０Ｂとのクリアランスを最小限にできるので、このクリアランス部分に虫が入り込むことを防止でき、美観を損ねることを防止できて虫の除去作業も不要にできる。
特に、本実施形態では、仕切片部５１１、５２１、５３１の厚さ寸法を１．５ｍｍ以下、例えば１．２ｍｍに設定しているので、ハエや蚊などの小さな虫が入り込むことも防止できる。
パネル６０、６０Ｂをガスケット５５、５５Ｂによって仕切片部５１１、５２１、５３１に押し付ける構造としたので、ガスケット５５、５５Ｂを選択することで、保持上枠５１、保持下枠５２、保持縦枠５３をそれぞれ１種類の形材で構成した場合でも、厚さ寸法の異なる複数種類のパネル６０、６０Ｂを保持することができる。このため、パネル保持枠５０を構成する形材の種類が増えることを防止でき、コストを低減できる。また、アルミ樹脂複合板、ポリカーボネート板、アルミ板などの材質の異なる複数種類のパネル６０、６０Ｂを選択して用いることができる。
【００２５】
また、パネル部材４０の保持下枠５２と、網戸下枠２２との間に隙間２８を形成しているので、仮に網戸ネット３０およびパネル６０、６０Ｂ間に虫やゴミが入り込んだ場合でも、網戸ネット３０を室外側に押して撓ませて、網戸ネット３０およびパネル６０、６０Ｂ間の隙間寸法を広げて、網戸ネット３０を軽く叩いて揺らすことなどで、網戸下枠２２上に虫やゴミを落とし、さらに隙間２８が排出口となり、虫やゴミを隙間２８から排出して除去することができる。
【００２６】
パネル部材４０の保持上枠５１は、網戸枠２０の高さ方向（上下方向）の中間位置に配置されるため、中桟として機能し、幼児などが手を掛ける可能性がある。網戸に中桟を設け、網戸ネットを中桟で上下に分割した場合、中桟に手を掛けた際に網戸ネットに力が加わると、網戸ネットが破れたり、ネットロープが外れる可能性がある。これに対し、本実施形態では、網戸ネット３０を網戸上枠２１、網戸下枠２２間に張り付け、保持上枠５１には固定していないので、保持上枠５１に手を掛けた際に、網戸ネット３０に力が加わっても、網戸ネット３０が室外側に撓んで力を逃がすことができる。このため、網戸ネット３０が破れたり、ネットロープ３１が外れることを防止できる。
その上、保持上枠５１の上部に露出する連結片部５１３を断面弧状に形成したので、幼児等が手を掛けにくい形状にできる。このため、保持上枠５１を手掛かりとして網戸ネット３０を押したりすることも防止でき、網戸ネット３０の破損をさらに抑制できる。
【００２７】
材質の異なるパネル６０、６０Ｂは熱変形量も異なる。このため、熱変形量の小さいパネル６０、６０Ｂに合わせてパネル保持溝の深さ寸法を設定すると、熱変形量の大きなパネル６０、６０Ｂを組み込んだ際に、パネル保持溝からパネル６０、６０Ｂが外れてしまう可能性がある。これに対し、本実施形態では、仕切片部５１１、５２１、５３１および保持片部５１２、５２２、５３２間でパネル６０、６０Ｂを保持しているので、仕切片部５１１、５２１、５３１および保持片部５１２、５２２、５３２の延出寸法を大きくでき、パネル保持溝の深さ寸法も大きくできる。このため、熱変形量の異なる様々な材質のパネル６０、６０Ｂを確実に保持することができる。
例えば、パネル６０、６０Ｂの製作誤差及び熱収縮による最大変位が−５．０ｍｍ、製作誤差及び熱伸びによる最大変位が＋５．０ｍｍの場合、パネル保持溝の深さ寸法を１７ｍｍに設定し、初期のパネル６０、６０Ｂの掛かり代を１２．０ｍｍとすれば、熱収縮で最大変位しても７．０ｍｍの掛かり代が確保されてパネル６０、６０Ｂがパネル保持溝から外れることを防止できる。また、熱伸びで最大変位しても、パネル保持溝はその熱伸び分を吸収することができる。
【００２８】
パネル６０、６０Ｂには滑り材テープ６１を貼り付けており、パネル６０、６０Ｂとパネル保持枠５０とが直接接触しない構成としたので、パネル６０、６０Ｂと、パネル保持枠５０とが異なる材質であっても、それらの熱変形時に異なる材質同士が擦れて異音が発生することを防止できる。なお、滑り材テープ６１はパネル保持枠５０に接触しながら移動するが、滑り材テープ６１は摩擦係数が低いため、異音は殆ど発生しない。
【００２９】
パネル付き網戸１０の下半分にパネル６０、６０Ｂを配置したので、幼児が網戸ネット３０を叩いたり、押したり、寄りかかることができなくなる。また、ペットが網戸ネット３０に飛び込んだり、引っ掻くこともできなくなる。このため、網戸ネット３０が破れたり、ネットロープ３１が外れることを防止でき、網戸ネット３０の張り替えのメンテナンス作業も減少できる。
【００３０】
［変形例］
本発明は、以上の実施形態で説明した構成のものに限定されず、本発明の目的を達成できる範囲での変形例は、本発明に含まれる。
前記実施形態では滑り材テープ６１をパネル６０、６０Ｂに貼り付けていたが、仕切片部５１１、５２１、５３１に貼り付けてもよい。また、滑り材テープ６１を設けずに、パネル６０、６０Ｂを仕切片部５１１、５２１、５３１に直接接触させてもよい。
【００３１】
前記実施形態では、連結金具４５によって網戸下枠２２と保持下枠５２とを固定していたが、連結金具４５を用いずに、網戸下枠２２と保持下枠５２とを直接固定してもよい。さらに、網戸下枠２２と保持下枠５２とを固定せずに、パネル部材４０を自重によって網戸下枠２２に当接させてもよい。
前記実施形態では、網戸下枠２２と保持下枠５２との間に隙間２８を形成していたが、網戸ネット３０とパネル６０、６０Ｂとのクリアランスを１．５ｍｍ以下に設定し、網戸ネット３０とパネル６０、６０Ｂとの間に虫が入り込むことを防止できるため、虫を排出する隙間２８は設けなくてもよい。
保持上枠５１の連結片部５１３を断面弧状に形成していたが、連結片部５１３を平らに形成し、仕切片部５１１、保持片部５１２、連結片部５１３を断面コ字状に形成してもよい。
【００３２】
前記実施形態では、パネル６０、６０Ｂを仕切片部５１１、５２１、５３１に押し付ける押付部材としてガスケット５５、５５Ｂを用いていたが、ガスケット以外で押付部材を構成してもよい。例えば、パネル６０、６０Ｂおよび保持片部５１２、５２２、５３２間にシーリング材を配置し、このシーリング材によってパネル６０、６０Ｂを仕切片部５１１、５２１、５３１に押し付けてもよい。
さらに、前記実施形態では、パネル６０、６０Ｂに合わせて２種類のガスケット５５、５５Ｂを用いていたが、各パネル６０、６０Ｂの厚さ寸法の差が小さい場合などには、１種類のガスケットを用いてもよい。この場合、パネル６０、６０Ｂの厚さ寸法に応じてガスケットの圧縮量が変更することで、パネル６０、６０Ｂを仕切片部５１１、５２１、５３１に押し付けることができる。
前記実施形態では、パネル６０を網戸ネット３０の室内側に配置していたが、網戸ネット３０の室外側に配置してもよい。
【００３３】
［発明のまとめ］
本発明のパネル付き網戸は、網戸枠と、前記網戸枠に装着された網戸ネットと、前記網戸ネットの室内側または室外側に沿って配置されて、前記網戸枠に取り付けられるパネル部材と、を備え、前記パネル部材は、パネル保持枠と、前記パネル保持枠に保持されるパネルとを備え、前記パネル保持枠は、前記網戸ネットおよび前記パネルとの間に配置される仕切片部と、前記仕切片部に対して前記パネルを挟んで配置される保持片部と、前記仕切片部および前記保持片部を連結する連結片部とを備えて構成され、前記パネル保持枠の前記保持片部と前記パネルとの間には、前記パネルを前記仕切片部に押し付ける押付部材が配置されていることを特徴とする。
本発明によれば、パネルを押付部材によって仕切片部に押し付けているので、網戸ネットおよびパネルを仕切片部に密着させることができ、網戸ネットおよびパネルのクリアランスを最小限の寸法、つまり仕切片部の厚さ寸法に設定できる。網戸ネットとパネルとのクリアランスを最小限にできるので、このクリアランス部分に虫が入り込むことを防止できる。
パネルを押付部材によって仕切片部に押し付ける構造としたので、簡単な構造でパネルを仕切片部に確実に押し付けることができる。また、パネル保持枠が１種類であっても、パネルの厚さ寸法に対応した押付部材を選択したり、押付部材の圧縮量を変更させることで、厚さ寸法の異なる複数種類のパネルを保持することができる。このため、パネル保持枠を構成する形材の種類が増えることを防止でき、アルミ樹脂複合板、ポリカーボネート板、アルミ板などの材質の異なる複数種類のパネルを選択して用いることができる。
【００３４】
本発明のパネル付き網戸において、前記押付部材は、前記パネルの厚さ寸法に応じて選択されて、前記保持片部に装着されるガスケットで構成されることが好ましい。
押付部材としてガスケットを用いれば、保持片部に凸部を形成するだけで容易に取り付けることができ、サッシにおけるガラス保持用のガスケットを流用することもできる。
【００３５】
本発明のパネル付き網戸において、前記パネル保持枠は、保持上枠と、保持下枠と、前記保持上枠および前記保持下枠間を連結する一対の保持縦枠とを備えて構成され、前記保持上枠は、前記網戸枠の高さ方向の中間部に配置され、前記保持上枠は、前記仕切片部と、前記保持片部と、前記連結片部とを備え、前記連結片部は、前記仕切片部および前記保持片部の上端部間を連結し、かつ、断面弧状に形成されていることが好ましい。
保持上枠は、網戸枠の高さ方向の中間位置に配置されるため、中桟として機能し、幼児などが手を掛ける可能性があるが、保持上枠の上部に露出する連結片部を断面弧状に形成したので、幼児等が手を掛けにくい形状にできる。このため、保持上枠を手掛かりとして網戸ネットを押したりすることも防止でき、網戸ネットの破損を抑制できる。
【００３６】
本発明のパネル付き網戸において、前記網戸枠は、網戸上枠と、網戸下枠と、前記網戸上枠および前記網戸下枠間に配置された一対の網戸縦枠とを備えて構成され、前記パネル保持枠は、保持上枠と、保持下枠と、前記保持上枠および前記保持下枠間を連結する一対の保持縦枠とを備えて構成され、前記網戸下枠の上面と、前記保持下枠の下面との間には隙間が形成されていることが好ましい。
網戸下枠と保持下枠との間に隙間を形成しているので、仮に網戸ネットおよびパネル間に虫やゴミが入り込んだ場合でも、網戸ネットを撓ませて、軽く叩いて揺らすことなどで、網戸下枠上に虫やゴミを落とし、さらに隙間が排出口となり、虫やゴミを隙間から排出して除去することができる。
【００３７】
本発明のパネル付き網戸において、前記パネルと前記仕切片部との間に、滑り材テープを設けることが好ましい。
パネルまたは仕切片部に滑り材テープを貼り付けることなどで、パネルおよび仕切片部間に滑り材テープを設けて、パネルとパネル保持枠とが直接接触しない構成としたので、パネルとパネル保持枠とが異なる材質であっても、それらの熱変形時に異なる材質同士が擦れて異音が発生することを防止できる。
【符号の説明】
【００３８】
１…引違い窓、２…窓枠、５…上枠、５Ａ…上枠網戸レール、６…下枠、６Ａ…下枠網戸レール、７…縦枠、１０…パネル付き網戸、２０…網戸枠、２１…網戸上枠、２２…網戸下枠、２３…網戸縦枠、２８…隙間、３０…網戸ネット、３１…ネットロープ、４０…パネル部材、４５…連結金具、５０…パネル保持枠、５１…保持上枠、５２…保持下枠、５３…保持縦枠、５５、５５Ｂ…ガスケット、５６…キャップ部材、６０、６０Ｂ…パネル、６１…滑り材テープ、６２…孔部、２１９、２２９、２３９…凹溝、５１１…仕切片部、５１２…保持片部、５１３…連結片部、５２１…仕切片部、５２２…保持片部、５２３…連結片部、５２５…室外側突片、５２６…室内側突片、５３１…仕切片部、５３２…保持片部、５３３…連結片部、５３５…室外側突片、５３６…室内側突片、５６１…挿入部。
【図１】
2020045699.tif 000003
【図２】
2020045699.tif 000004
【図３】
2020045699.tif 000005
【図４】
2020045699.tif 000006
【図５】
2020045699.tif 000007
【図６】
2020045699.tif 000008
【図７】
2020045699.tif 000009